(57)【特許請求の範囲】
【請求項１】
符号分割多元接続に対応して自端末に割り当てられた局部拡散符号を用いて受信信号の受信拡散符号を逆拡散することにより情報信号を復調する復調手段より、前記情報信号を受け、前記情報信号のレベルを、前記局部拡散符号と前記受信拡散符号との同期状態及び非同期状態にそれぞれ対応した第１の閾値及び第２の閾値と比較することにより、同期状態／非同期状態を判定して判定信号を出力する同期判定回路であって、
前記受信信号のレベルが所定の第３の閾値を下回ったとき、前記第１の閾値と前記第２の閾値とを同一値に設定する閾値変更設定手段を備えている、ことを特徴とする同期判定回路。
【請求項２】
前記閾値変更設定手段は、無線基地局から送信されるパイロット信号を前記受信信号として入力する、ことを特徴とする請求項１記載の同期判定回路。
【請求項３】
符号分割多元接続に対応して自端末に割り当てられた局部拡散符号を用いて受信信号の受信拡散符号を逆拡散することにより情報信号を復調する復調手段より、前記情報信号を受け、前記情報信号のレベルを、前記局部拡散符号と前記受信拡散符号との同期状態及び非同期状態にそれぞれ対応した第１の閾値及び第２の閾値と比較することにより、同期状態／非同期状態を判定て判定信号を出力する同期判定回路であって、
自局の送信信号の送信ステータスが出力停止のとき、前記第１の閾値と前記第２の閾値とを同一値に設定する閾値変更設定手段を備えている、ことを特徴とする同期判定回路。
【請求項４】
前記端末は、ＯＳＩ（Open Systems Interconnection、開放型システム間相互接続）プロトコルに基づく移動通信ネットワークと無線接続される構成とされ、
前記復調手段で復調された前記情報信号から前記ＯＳＩプロトコルのトランスポート層に対応したトランスポートフォーマットセットを判定するトランスポートフォーマットセット判定部と、
前記情報信号から前記トランスポート層に対応したトランスポートチャネル数を判定するトランスポートチャネル数判定部と、
をさらに備え、
前記閾値変更設定手段は、前記トランスポート層に対応したトランスポートフォーマットセットの判定条件及びトランスポートチャネル数が起動条件として予め設定され、該起動条件が前記トランスポートフォーマットセット判定部及びトランスポートチャネル数判定部により満たされたときに起動される、ことを特徴とする請求項１乃至３のいずれか一に記載の同期判定回路。
【請求項５】
符号分割多元接続に対応して自局に割り当てられた局部拡散符号を用いて受信信号の受信拡散符号を逆拡散することにより情報信号を復調する復調手段と、
前記局部拡散符号と前記受信拡散符号との同期状態／非同期状態を判定して判定信号を出力する同期判定手段と、
を備えてなる移動通信端末であって、
前記同期判定手段として、請求項１、２、４のいずれか一に記載の同期判定回路を備えたことを特徴とする移動通信端末。
【請求項６】
符号分割多元接続に対応して自局に割り当てられた局部拡散符号を用いて受信信号の受信拡散符号を逆拡散することにより情報信号を復調する復調手段と、
前記局部拡散符号と前記受信拡散符号との同期状態／非同期状態を判定して判定信号を出力する同期判定手段と、
を備えてなる移動通信端末であって、
自局の送信信号の出力／出力停止を判定する送信ステータス判定手段を備え、
前記同期判定手段として、請求項３又は４記載の同期判定回路を備えたことを特徴とする移動通信端末。
【請求項７】
符号分割多元接続に対応して自局に割り当てられた局部拡散符号を用いて受信信号の受信拡散符号を逆拡散することにより情報信号を復調する復調手段と、前記局部拡散符号と前記受信拡散符号との同期状態／非同期状態を判定して判定信号を出力する同期判定手段と、を備えてなる移動通信端末の制御方法であって、
前記同期判定手段が、復調された前記情報信号のレベルを、前記同期状態に対応した第１の閾値及び前記非同期状態に対応した第２の閾値と比較することにより、前記同期状態／非同期状態を判定し、
前記受信信号のレベルが所定の第３の閾値を下回ったとき、前記第１の閾値と前記第２の閾値とを同一値に設定する閾値変更設定処理を行う、
ことを特徴とする制御方法。
【請求項８】
前記閾値変更設定処理は、無線基地局から送信されるパイロット信号を前記受信信号として入力することを特徴とする請求項７記載の制御方法。
【請求項９】
符号分割多元接続に対応して自局に割り当てられた局部拡散符号を用いて受信信号の受信拡散符号を逆拡散することにより情報信号を復調する復調手段と、前記局部拡散符号と前記受信拡散符号との同期状態／非同期状態を判定して判定信号を出力する同期判定手段と、を備えてなる移動通信端末の制御方法であって、
自局の送信信号の出力／出力停止を判定する送信ステータス判定処理を行い、
前記同期判定手段が、復調された前記情報信号のレベルを、前記同期状態に対応した第１の閾値及び前記非同期状態に対応した第２の閾値と比較することにより、前記同期状態／非同期状態を判定し、
前記送信ステータス判定処理で自局の送信信号の出力停止が判定されたとき、前記第１の閾値と前記第２の閾値とを同一値に設定する閾値変更設定処理を行う、
ことを特徴とする制御方法。
【請求項１０】
前記移動通信端末は、ＯＳＩ（Open Systems Interconnection、開放型システム間相互接続）プロトコルに基づく移動通信ネットワークと無線接続される構成とされ、
前記復調手段で復調された前記情報信号から前記ＯＳＩプロトコルのトランスポート層に対応したトランスポートフォーマットセットを判定するトランスポートフォーマットセット判定処理と、
前記情報信号から前記トランスポート層に対応したトランスポートチャネル数を判定するトランスポートチャネル数判定処理とを行い、
前記閾値変更設定処理では、
前記トランスポート層に対応したトランスポートフォーマットセットの判定条件及びトランスポートチャネル数を起動条件として予め設定し、該起動条件が前記トランスポートフォーマットセット判定処理の判定結果及びトランスポートチャネル数判定処理の判定結果により満たされたときに起動する、
ことを特徴とする請求項７乃至９のいずれか一に記載の制御方法。
【請求項１１】
符号分割多元接続に対応して自局に割り当てられた局部拡散符号を用いて受信信号の受信拡散符号を逆拡散することにより情報信号を復調する復調手段と、
前記局部拡散符号と前記受信拡散符号との同期状態／非同期状態を判定して判定信号を出力する同期判定手段と、
を備えてなる移動通信端末を構成するコンピュータに、
前記同期判定手段の処理として、
復調された前記情報信号のレベルを、前記同期状態に対応した第１の閾値及び前記非同期状態に対応した第２の閾値と比較することにより、前記同期状態／非同期状態を判定する処理と、
前記受信信号のレベルが所定の第３の閾値を下回ったとき、前記第１の閾値と前記第２の閾値とを同一値に設定する閾値変更設定処理と、
を実行させるプログラム。
【請求項１２】
前記閾値変更設定処理は、無線基地局から送信されるパイロット信号を前記受信信号として入力する、請求項１１記載のプログラム。
【請求項１３】
符号分割多元接続に対応して自局に割り当てられた局部拡散符号を用いて受信信号の受信拡散符号を逆拡散することにより情報信号を復調する復調手段と、
前記局部拡散符号と前記受信拡散符号との同期状態／非同期状態を判定して判定信号を出力する同期判定手段と、
自局の送信信号の出力／出力停止を判定する送信ステータス判定手段と、
を備えてなる移動通信端末を構成するコンピュータに、
前記同期判定手段の処理として、
復調された前記情報信号のレベルを、前記同期状態に対応した第１の閾値及び前記非同期状態に対応した第２の閾値と比較することにより、前記同期状態／非同期状態を判定する処理と、
前記送信ステータス判定手段が自局の送信信号の出力停止を判定したとき、前記第１の閾値と前記第２の閾値とを同一値に設定する閾値変更設定処理と、
を実行させるプログラム。
【請求項１４】
前記移動通信端末は、ＯＳＩ（Open Systems Interconnection、開放型システム間相互接続）プロトコルに基づく移動通信ネットワークと無線接続される構成とされ、
前記プログラムは、
前記復調手段で復調された前記情報信号から前記ＯＳＩプロトコルのトランスポート層に対応したトランスポートフォーマットセットを判定するトランスポートフォーマットセット判定処理と、
前記情報信号から前記トランスポート層に対応したトランスポートチャネル数を判定するトランスポートチャネル数判定処理と、
を含み、
前記閾値変更設定処理では、前記トランスポート層に対応したトランスポートフォーマットセットの判定条件及びトランスポートチャネル数を起動条件として予め設定し、該起動条件が前記トランスポートフォーマットセット判定処理の判定結果及びトランスポートチャネル数判定処理の判定結果により満たされたときに起動する、ことを特徴とする請求項１１乃至１３のいずれか一に記載のプログラム。
【発明の詳細な説明】
【技術分野】
【０００１】
この発明は、移動通信端末、該移動通信端末に用いられる同期判定回路、制御方法、及び同期判定制御プログラムに係り、特に、第３世代の移動通信システムの仕様に対応するための３ＧＰＰ（3rd Generation Partnership Project）規格に準拠した携帯電話機などに適用して好適な移動通信端末、該移動通信端末に用いられる同期判定回路、制御方法、及び同期判定制御プログラムに関する。
【背景技術】
【０００２】
近年、第３世代の移動体通信手段としてＷ−ＣＤＭＡ（Wideband Code Division Multiple Access、広帯域符号分割多元接続）方式を用いた通信システムが開発され、携帯電話機などの移動通信端末に対して、ＯＳＩ（Open Systems Interconnection、開放型システム間相互接続）プロトコルに基づく移動通信ネットワークから音声通信やパケット通信などのサービスが提供されている。Ｗ−ＣＤＭＡ方式に対応する携帯電話機などの移動通信端末では、自局に割り当てられた局部拡散符号と受信信号の受信拡散符号との同期状態を判定するパラメータとして、ＳＩＲ（Signal to Interference Ratio、信号電力対干渉電力比）が用いられる。この場合、移動通信端末では、所定のフレーム数分連続して受信信号のＳＩＲが予め設定された固定の閾値を下回ると、受信拡散符号と局部拡散符号との同期が外れた状態であると判定される。【０００３】
この種の携帯電話機は、従来では、たとえば図５に示すように、共通チャネルレベル測定部１と、受信データデコード部２と、個別チャネルレベル測定部３と、ＲＬＦ（Radio Link Failure）判定制御部４とから構成されている。この携帯電話機では、無線基地局から送信される無線信号が図示しない無線部で受信され、同無線部から受信データｉｎが送出される。受信データｉｎは、共通チャネルレベル測定部１で共通チャネル（すなわち、パイロット信号、Common Pilot Channel、ＣＰＩＣＨ）のレベルが測定され、同共通チャネルレベル測定部１から共通チャネルレベルａが出力される。【０００４】
また、受信データｉｎは、受信データデコード部２で、自局に割り当てられた局部拡散符号を用いて受信拡散符号が逆拡散され、個別チャネルの情報信号（ベースバンド信号）ｃが復調される。情報信号ｃは、個別チャネルレベル測定部３でレベルが測定され、同個別チャネルレベル測定部３からＳＩＲデータｄが出力される。ＲＬＦ判定制御部４には、局部拡散符号と受信拡散符号との同期状態に対応した第１の閾値及び非同期状態に対応した第２の閾値が設定されている。そして、共通チャネルレベルａが所定の閾値以上のとき、ＳＩＲデータｄは、ＲＬＦ判定制御部４で第１の閾値及び第２の閾値と比較されることにより、上記局部拡散符号と受信拡散符号との同期状態／非同期状態が判定され、判定信号ｅが出力される。判定信号ｅは、図示しない個別チャネル処理部へ送出される。【０００５】
上記の携帯電話機の他、従来、この種の技術としては、たとえば、次のような文献に記載されたものがある。
特許文献１に記載されたスペクトル拡散通信システムで用いられる受信装置及び送信装置は、受信した拡散信号と拡散コードとの相関演算により同期を判定する相関・同期判定部と、受信信号の電波強度を検出するＲＳＳＩ（Receive Signal Strength Indicator ）値検出部と、受信信号のＢＥＲ（Bit Error Rate）を測定するＢＥＲ測定部とを備えている。そして、これらから得られる結果に基づいて、端末用インタフェースにより、現在使用中の通信チャネルの品質が判定される。通信チャネルの品質の判定では、ＢＥＲが考慮されるので、他チャネルからの妨害波やノイズの有無が判断される。通信チャネルの品質が悪い場合、通信チャネルを移動させることで、通信品質が確保される。【０００６】
特許文献２に記載された同期判定制御装置では、ＳＩＲ測定部は、受信信号に基づいてＳＩＲを測定する。速度検出部は、移動局の移動速度を検出する。同期判定処理部は、検出された移動速度が速度検出閾値よりも大きいか否かを判断する。速度検出閾値よりも大きいと判断した場合には、同期判定処理部は、ＳＩＲ閾値を高めの値に変更する。また、速度検出閾値よりも大きくないと判断した場合には、同期判定処理部は、ＳＩＲ閾値を低めの値に変更する。そして、同期判定処理部は、変更後のＳＩＲ閾値を基準として測定したＳＩＲに基づいて同期判定を行う。
【特許文献１】特開２００２−１０１００６号公報（要約書、図１）
【特許文献２】特開２００５−２５３０５５号公報（要約書、図１）
【非特許文献１】３ＧＰＰ規格［TS25.331 8.5.6 Radio link failure criteria and actions upon radio link failure］
【発明の開示】
【発明が解決しようとする課題】
【０００７】
しかしながら、上記従来の携帯電話機では、次のような問題点があった。
すなわち、非特許文献１の３ＧＰＰ規格によれば、ＲＬＦ判定制御部４において、ＳＩＲデータｄのレベルが同期状態に対応した第１の閾値よりも大きいと判定されたとき、タイマ（３ＧＰＰ規格に基づく計時手段；Ｔ３１３）による遅延時間が経過した後に同期状態に対応した判定信号ｅが出力される。また、ＳＩＲデータｄのレベルが非同期状態に対応した第２の閾値よりも小さいと判定されたとき、タイマによる遅延時間が経過した後に非同期状態に対応した判定信号ｅが出力される。ところが、ＳＩＲデータｄのレベルが第１の閾値と第２の閾値との間にあるときは、タイマ（Ｔ３１３）が動作しないため、判定信号ｅが出力されるまでに長時間が経過し、無駄な消費電力が発生するという問題点があった。【０００８】
また、特許文献１に記載された受信装置及び送信装置では、この発明と目的は類似しているが、通信チャネルの品質の判定でＢＥＲが考慮され、他チャネルからの妨害波やノイズの有無が判断されるようになっているので、この発明とは構成が異なる。【０００９】
特許文献２に記載された同期判定制御装置では、変更後のＳＩＲ閾値を基準として測定したＳＩＲに基づいて、同期判定処理部により同期判定が行われるため、この発明とは構成が異なる。【００１０】
この発明は、上述の事情に鑑みてなされたもので、ＳＩＲデータのレベルが第１の閾値と第２の閾値との間にあるときでも、短時間で判定信号ｅが出力され、無駄な消費電力が発生しない移動通信端末、同移動通信端末に用いられる同期判定回路、制御方法、及び同期判定制御プログラムを提供することを目的としている。
【課題を解決するための手段】
【００１１】
上記課題を解決するために、第１の側面に係る発明は、符号分割多元接続に対応して自局に割り当てられた局部拡散符号を用いて受信信号の受信拡散符号を逆拡散することにより情報信号を復調する復調手段と、前記局部拡散符号と前記受信拡散符号との同期状態／非同期状態を判定して判定信号を出力する同期判定手段とを備えてなる移動通信端末に係り、前記同期判定手段は、復調された前記情報信号のレベルを、前記同期状態に対応した第１の閾値及び前記非同期状態に対応した第２の閾値と比較することにより、前記同期状態／非同期状態を判定する構成とされ、かつ、前記受信信号のレベルが所定の第３の閾値を下回ったとき、前記第１の閾値と前記第２の閾値とを同一値に設定する閾値変更設定手段が設けられていることを特徴としている。【００１２】
第２の側面に係る発明は、第１の側面の移動通信端末に係り、前記閾値変更設定手段は、無線基地局から送信されるパイロット信号を前記受信信号として入力する構成とされていることを特徴としている。【００１３】
第３の側面に係る発明は、符号分割多元接続に対応して自局に割り当てられた局部拡散符号を用いて受信信号の受信拡散符号を逆拡散することにより情報信号を復調する復調手段と、前記局部拡散符号と前記受信拡散符号との同期状態／非同期状態を判定して判定信号を出力する同期判定手段とを備えてなる移動通信端末に係り、自局の送信信号の出力／出力停止を判定する送信ステータス判定手段が設けられ、前記同期判定手段は、復調された前記情報信号のレベルを、前記同期状態に対応した第１の閾値及び前記非同期状態に対応した第２の閾値と比較することにより、前記同期状態／非同期状態を判定する構成とされ、かつ、前記送信ステータス判定手段が自局の送信信号の出力停止を判定したとき、前記第１の閾値と前記第２の閾値とを同一値に設定する閾値変更設定手段が設けられていることを特徴としている。【００１４】
第４の側面に係る発明は、第１、２又は３の移動通信端末に係り、当該移動通信端末は、ＯＳＩプロトコルに基づく移動通信ネットワークと無線接続される構成とされ、前記復調手段で復調された前記情報信号から前記ＯＳＩプロトコルのトランスポート層に対応したトランスポートフォーマットセットを判定するトランスポートフォーマットセット判定部と、前記情報信号から前記トランスポート層に対応したトランスポートチャネル数を判定するトランスポートチャネル数判定部とが設けられ、前記閾値変更設定手段は、前記トランスポート層に対応したトランスポートフォーマットセットの判定条件及びトランスポートチャネル数が起動条件として予め設定され、該起動条件が前記トランスポートフォーマットセット判定部及びトランスポートチャネル数判定部により満たされたときに起動する構成とされていることを特徴としている。【００１５】
第５の側面に係る発明は、符号分割多元接続に対応して自局に割り当てられた局部拡散符号を用いて受信信号の受信拡散符号を逆拡散することにより情報信号を復調する復調手段を備えてなる移動通信端末に用いられ、前記局部拡散符号と前記受信拡散符号との同期状態／非同期状態を判定して判定信号を出力する同期判定回路に係り、復調された前記情報信号のレベルを、前記同期状態に対応した第１の閾値及び前記非同期状態に対応した第２の閾値と比較することにより、前記同期状態／非同期状態を判定する構成とされ、かつ、前記受信信号のレベルが所定の第３の閾値を下回ったとき、前記第１の閾値と前記第２の閾値とを同一値に設定する閾値変更設定手段が設けられていることを特徴としている。【００１６】
第６の側面に係る発明は、第５の側面の同期判定回路に係り、前記閾値変更設定手段は、無線基地局から送信されるパイロット信号を前記受信信号として入力する構成とされていることを特徴としている。【００１７】
第７の側面に係る発明は、符号分割多元接続に対応して自局に割り当てられた局部拡散符号を用いて受信信号の受信拡散符号を逆拡散することにより情報信号を復調する復調手段を備えてなる移動通信端末に用いられ、前記局部拡散符号と前記受信拡散符号との同期状態／非同期状態を判定して判定信号を出力する同期判定回路に係り、当該移動通信端末に、自局の送信信号の出力／出力停止を判定する送信ステータス判定手段が設けられ、復調された前記情報信号のレベルを、前記同期状態に対応した第１の閾値及び前記非同期状態に対応した第２の閾値と比較することにより、前記同期状態／非同期状態を判定する構成とされ、かつ、前記送信ステータス判定手段が自局の送信信号の出力停止を判定したとき、前記第１の閾値と前記第２の閾値とを同一値に設定する閾値変更設定手段が設けられていることを特徴としている。【００１８】
第８の側面に係る発明は、第５、第６又は第７の側面の同期判定回路に係り、当該移動通信端末は、ＯＳＩプロトコルに基づく移動通信ネットワークと無線接続される構成とされ、前記復調手段で復調された前記情報信号から前記ＯＳＩプロトコルのトランスポート層に対応したトランスポートフォーマットセットを判定するトランスポートフォーマットセット判定部と、前記情報信号から前記トランスポート層に対応したトランスポートチャネル数を判定するトランスポートチャネル数判定部とが設けられ、前記閾値変更設定手段は、前記トランスポート層に対応したトランスポートフォーマットセットの判定条件及びトランスポートチャネル数が起動条件として予め設定され、該起動条件が前記トランスポートフォーマットセット判定部及びトランスポートチャネル数判定部により満たされたときに起動する構成とされていることを特徴としている。【００１９】
第９の側面に係る発明は、符号分割多元接続に対応して自局に割り当てられた局部拡散符号を用いて受信信号の受信拡散符号を逆拡散することにより情報信号を復調する復調手段と、前記局部拡散符号と前記受信拡散符号との同期状態／非同期状態を判定して判定信号を出力する同期判定手段とを備えてなる移動通信端末の制御方法に係り、前記同期判定手段が、復調された前記情報信号のレベルを、前記同期状態に対応した第１の閾値及び前記非同期状態に対応した第２の閾値と比較することにより、前記同期状態／非同期状態を判定し、かつ、前記受信信号のレベルが所定の第３の閾値を下回ったとき、前記第１の閾値と前記第２の閾値とを同一値に設定する閾値変更設定処理を行うことを特徴としている。【００２０】
第１０の側面に係る発明は、第９の側面の制御方法に係り、前記閾値変更設定処理では、無線基地局から送信されるパイロット信号を前記受信信号として入力することを特徴としている。【００２１】
第１１の側面に係る発明は、符号分割多元接続に対応して自局に割り当てられた局部拡散符号を用いて受信信号の受信拡散符号を逆拡散することにより情報信号を復調する復調手段と、前記局部拡散符号と前記受信拡散符号との同期状態／非同期状態を判定して判定信号を出力する同期判定手段とを備えてなる移動通信端末の制御方法に係り、自局の送信信号の出力／出力停止を判定する送信ステータス判定処理を行い、前記同期判定手段が、復調された前記情報信号のレベルを、前記同期状態に対応した第１の閾値及び前記非同期状態に対応した第２の閾値と比較することにより、前記同期状態／非同期状態を判定し、かつ、前記送信ステータス判定処理で自局の送信信号の出力停止が判定されたとき、前記第１の閾値と前記第２の閾値とを同一値に設定する閾値変更設定処理を行うことを特徴としている。【００２２】
第１２の側面に係る発明は、第９、１０又は１１の側面の制御方法に係り、当該移動通信端末は、ＯＳＩプロトコルに基づく移動通信ネットワークと無線接続される構成とされ、前記復調手段で復調された前記情報信号から前記ＯＳＩプロトコルのトランスポート層に対応したトランスポートフォーマットセットを判定するトランスポートフォーマットセット判定処理と、前記情報信号から前記トランスポート層に対応したトランスポートチャネル数を判定するトランスポートチャネル数判定処理とを行い、前記閾値変更設定処理では、前記トランスポート層に対応したトランスポートフォーマットセットの判定条件及びトランスポートチャネル数を起動条件として予め設定し、該起動条件が前記トランスポートフォーマットセット判定処理の判定結果及びトランスポートチャネル数判定処理の判定結果により満たされたときに起動することを特徴としている。【００２３】
第１３の側面に係るの発明は、同期判定制御プログラムに係り、コンピュータに、第１乃至第４の側面のいずれか一に記載の移動通信端末を制御させることを特徴としている。
【発明の効果】
【００２４】
この発明の構成によれば、受信信号のレベルが第３の閾値を下回ることが判定されたとき、第２の閾値が第１の閾値と同一値に設定されるので、復調された情報信号のレベルが同第２の閾値（＝第１の閾値）よりも小さいと判定されたとき、所定の遅延時間が経過した後、直ちに非同期状態に対応した判定信号が出力される。このため、消費電力を低減できる。また、送信ステータス判定手段により送信信号の出力停止が判定されたとき、第２の閾値が第１の閾値と同一値に設定されるので、復調された情報信号のレベルが同第２の閾値（＝第１の閾値）よりも小さいと判定されたとき、所定の遅延時間が経過した後、直ちに非同期状態に対応した判定信号が出力される。このため、消費電力を低減できる。
【図面の簡単な説明】
【００２５】
【図１】この発明の第１の実施例である移動通信端末の要部の電気的構成を示すブロック図である。
【図２】図１の携帯電話機の動作を説明するフローチャートである。
【図３】この発明の第２の実施例である携帯電話機の電気的構成を示すブロック図である。
【図４】図３の携帯電話機の動作を説明するフローチャートである。
【図５】従来の携帯電話機の電気的構成を示すブロック図である。
【符号の説明】
【００２６】
１１      共通チャネルレベル測定部（移動通信端末の一部、閾値変更設定手段の一部）
１２      受信データデコード部（復調手段、移動通信端末の一部）
１３      個別チャネルレベル測定部（移動通信端末の一部）
１４      トランスポートフォーマットセット判定部
１５      トランスポートチャネル数判定部
１６，１６Ａ      ＲＬＦ（Radio Link Failure）判定制御部（同期判定手段、閾値変更設定手段の一部、同期判定回路）
１７      送信ステータス判定部（送信ステータス判定手段）
【発明を実施するための最良の形態】
【００２７】
局部拡散符号と受信拡散符号との同期判定に時間がかかることを判定した場合、同期状態に対応した第１の閾値及び非同期状態に対応した第２の閾値を同一値に設定する移動通信端末、同移動通信端末に用いられる同期判定回路、制御方法、及び同期判定制御プログラムを提供する。
【実施例１】
【００２８】
図１は、この発明の第１の実施例である移動通信端末の要部の電気的構成を示すブロック図である。
この例の移動通信端末は、ＯＳＩプロトコルに基づく移動通信ネットワークに無線接続される携帯電話機であり、同図に示すように、共通チャネルレベル測定部１１と、受信データデコード部１２と、個別チャネルレベル測定部１３と、トランスポートフォーマットセット判定部１４と、トランスポートチャネル数判定部１５と、ＲＬＦ（Radio Link Failure）判定制御部１６とから構成されている。共通チャネルレベル測定部１１は、無線基地局からの無線信号を受信する図示しない無線部から出力された受信データｉｎの共通チャネル（すなわち、パイロット信号、Common Pilot Channel、ＣＰＩＣＨ）のレベルを測定し、共通チャネルレベルａを出力する。【００２９】
受信データデコード部１２は、受信データｉｎに対して、自局に割り当てられた局部拡散符号を用いて受信拡散符号を逆拡散し、個別チャネルの情報信号（ベースバンド信号）ｃを復調する。また、受信データデコード部１２は、ＲＬＦ判定制御部１６に対して起動信号ｐを出力する。個別チャネルレベル測定部１３は、情報信号ｃのレベルを測定してＳＩＲデータｄを出力すると共に、同情報信号ｃを基に、ＯＳＩプロトコルのトランスポート層（レイヤ４）に対応したトランスポートフォーマットセット値ｆを出力する。トランスポートフォーマットセット判定部１４は、トランスポートフォーマットセット値ｆを基に、ＯＳＩプロトコルのトランスポート層に対応したトランスポートフォーマットセット（ＴＦＳ、トランスポートチャネルに使用されるトランスポートフォーマットの集まり）を判定し、判定結果ｇ及びトランスポートのチャネル数に対応したパラメータｈを出力する。トランスポートチャネル数判定部１５は、パラメータｈを基に、トランスポートチャネル数ｊを出力する。【００３０】
ＲＬＦ判定制御部１６は、局部拡散符号と受信拡散符号との同期状態に対応した第１の閾値及び非同期状態に対応した第２の閾値が設定されると共に、トランスポート層に対応したトランスポートフォーマットセットの値及びトランスポートチャネル数が起動条件として予め設定され、この起動条件がトランスポートフォーマットセット判定部１４及びトランスポートチャネル数判定部１５により満たされたときに起動する。また、ＲＬＦ判定制御部１６は、共通チャネルレベルａが所定の第３の閾値（共通チャネルレベル閾値）以上のとき、ＳＩＲデータｄを第１の閾値及び第２の閾値と比較することにより、上記局部拡散符号と受信拡散符号との同期状態／非同期状態を判定し、判定信号ｅを出力する。特に、この実施例では、ＲＬＦ判定制御部１６は、共通チャネルレベルａが第３の閾値を下回ったとき、上記第１の閾値と第２の閾値とを同一値に設定する。また、ＲＬＦ判定制御部１６の処理は、移動通信端末を構成するコンピュータ（不図示）上で実行させる同期判定制御プログラムに基づいて、その機能・処理を実現するようにしてもよい。なお、請求の範囲の第１項の同期判定回路は、図１のＲＬＦ判定制御部１６、共通チャネルレベル測定部１１、個別チャネルレベル測定部１３を備えた構成に対応し、閾値変更設定手段はＲＬＦ判定制御部１６での制御に対応し、復調手段は、受信データデコード部１２（復号部）に対応する。また請求の範囲の第４項は、図１のトランスポートフォーマットセット判定部１４、及びトランスポートチャネル数判定部１５を備えた構成に対応する。【００３１】
図２は、図１の携帯電話機の動作を説明するフローチャートである。この図を参照して、この例の携帯電話機に用いられる制御方法の処理内容について説明する。
この携帯電話機では、ＲＬＦ判定制御部１６により、共通チャネルレベルａが所定の第３の閾値（共通チャネルレベル閾値）以上であることが判定されたとき、ＳＩＲデータｄが第１の閾値及び第２の閾値と比較されることにより、局部拡散符号と受信拡散符号との同期状態／非同期状態が判定されて判定信号ｅが出力され、特に、共通チャネルレベルａが第３の閾値を下回ることが判定されたとき、第１の閾値と第２の閾値とが同一値に設定される（閾値変更設定処理）。【００３２】
すなわち、ＲＬＦ判定制御部１６に対し、起動条件として、トランスポート層に対応したトランスポートフォーマットセットの判定条件（たとえば、トランスポートフォーマットＴＦは、SingleＴＦ）、トランスポートチャネル数（たとえば、チャネル数が１）、共通チャネルレベル閾値（第３の閾値、たとえば、ＣＰＩＣＨの標準電力成分−２５ｄＢ）が予め設定される。そして、受信データデコード部１２からＲＬＦ判定制御部１６に対して起動信号ｐが出力されて個別チャネル処理の起動が行われ（ステップＡ１）、同ＲＬＦ判定制御部１６により、トランスポートフォーマットセット判定部１４のトランスポートフォーマットセット判定処理による判定結果ｇ、及びトランスポートチャネル数判定部１５のトランスポートチャネル数判定処理によるトランスポートチャネル数ｊに基づいて、ＲＬＦ判定閾値変更制御の起動条件が満たされるか否かが判定される（ステップＡ２）。【００３３】
この起動条件が満たされたとき、ＲＬＦ判定制御部１６が起動し、共通チャネルレベル測定部１１からの共通チャネルレベルａの観測が開始され（ステップＡ３）、共通チャネルレベル閾値を下回ったか否かが判定され（ステップＡ４）、下回ったとき、ＲＬＦ判定閾値である第１の閾値と第２の閾値とが同一値になるように設定される。この場合、たとえば、同期状態に対応した第１の閾値が０ｄＢ、及び非同期状態（out-of-sync ）に対応した第２の閾値が−５ｄＢに設定されているとき、同第２の閾値が０ｄＢに変更され、同期状態及び非同期状態の判定条件にレベル差がなくなる（ステップＡ５）。【００３４】
この状態で、個別チャネルレベル測定部１３からのＳＩＲデータがＲＬＦ判定制御部１６で第１の閾値（＝第２の閾値）と比較されることにより、局部拡散符号と受信拡散符号との同期状態／非同期状態が判定され、タイマ（Ｔ３１３）による遅延時間が経過した後、直ちに判定信号ｅが出力される。判定信号ｅは、図示しない個別チャネル処理部へ送出される。この場合、特に、ＳＩＲデータｄのレベルが第１の閾値（＝第２の閾値）よりも小さいと判定されたとき、すなわち非同期状態が判定されたとき、上記遅延時間の後、直ちに非同期状態に対応した判定信号ｅが出力される。この後、受信データデコード部１２からの起動信号ｐがノンアクティブモードとなってＲＬＦ判定制御部１６の個別チャネル処理が終了（停止）すると（ステップＡ６）、第２の閾値が０ｄＢから元の−５ｄＢに戻り、処理が終了する。【００３５】
以上のように、この第１の実施例では、共通チャネルレベルａが第３の閾値（共通チャネルレベル閾値）を下回ることが判定されたとき、第２の閾値が第１の閾値と同一値に設定されるので、ＳＩＲデータｄのレベルが同第２の閾値（＝第１の閾値）よりも小さいと判定されたとき、タイマ（Ｔ３１３）による遅延時間が経過した後、直ちに非同期状態に対応した判定信号ｅが出力される。このため、消費電力が低減される。低減される消費電力は、使用環境によって異なるが、非同期状態に対応した判定信号ｅが出力されるまでの時間が、たとえば従来の５分から３分に削減されたとすると、４０％低減される。
【実施例２】
【００３６】
図３は、この発明の第２の実施例である携帯電話機の電気的構成を示すブロック図であり、第１の実施例を示す図１中の要素と共通の要素には共通の符号が付されている。
この例の携帯電話機では、同図３に示すように、図１中の共通チャネルレベル測定部１１が削除される一方、送信ステータス判定部１７が設けられている。また、ＲＬＦ判定制御部１６に代えて、異なる機能を有するＲＬＦ判定制御部１６Ａが設けられている。送信ステータス判定部１７は、送信／受信動作を制御する図示しない制御部からの制御信号ｂに基づいて、自局の送信信号の出力／出力停止を判定して判定信号ｎを出力する。ＲＬＦ判定制御部１６Ａは、ＲＬＦ判定制御部１６の共通チャネルレベルａを判定する機能に代えて、判定信号ｎが自局の送信信号の出力停止を示すとき、第１の閾値と第２の閾値とを同一値に設定する機能が設けられている。他は、図１と同様の構成である。【００３７】
図４は、図３の携帯電話機の動作を説明するフローチャートである。この図を参照して、この例の携帯電話機に用いられる制御方法の処理内容について説明する。この携帯電話機では、送信ステータス判定部１７により、自局の送信信号の出力／出力停止が判定され（送信ステータス判定処理）、同送信信号の出力が判定されたとき、ＲＬＦ判定制御部１６Ａにより、ＳＩＲデータｄが第１の閾値及び第２の閾値と比較されることにより、局部拡散符号と受信拡散符号との同期状態／非同期状態が判定されて判定信号ｅが出力される。また、同送信信号の出力停止が判定されたとき、第１の閾値と第２の閾値とが同一値に設定される（閾値変更設定処理）。【００３８】
すなわち、ＲＬＦ判定制御部１６Ａに対し、起動条件として、トランスポート層に対応したトランスポートフォーマットセットの判定条件（たとえば、トランスポートフォーマットＴＦは、SingleＴＦ）、トランスポートチャネル数（たとえば、チャネル数が１）が予め設定される。そして、受信データデコード部１２からＲＬＦ判定制御部１６Ａに対して起動信号ｐが出力されて個別チャネル処理の起動が行われ（ステップＢ１）、同ＲＬＦ判定制御部１６Ａにより、トランスポートフォーマットセット判定部１４のトランスポートフォーマットセット判定処理による判定結果ｇ、及びトランスポートチャネル数判定部１５のトランスポートチャネル数判定処理によるトランスポートチャネル数ｊに基づいて、ＲＬＦ判定閾値変更制御の起動条件が満たされるか否かが判定される（ステップＢ２）。【００３９】
この起動条件が満たされているとき、ＲＬＦ判定制御部１６Ａが起動し、送信ステータス判定部１７からの判定信号ｎに基づいて送信停止ステータスの観測が開始され（ステップＢ３）、送信が停止しているか否かが判定され（ステップＢ４）、送信が停止しているとき、ＲＬＦ判定閾値である第１の閾値と第２の閾値とが同一値になるように設定される。この場合、たとえば、同期状態に対応した第１の閾値が０ｄＢ、及び非同期状態（out-of-sync ）に対応した第２の閾値が−５ｄＢに設定されているとき、同第２の閾値が０ｄＢに変更され、同期状態及び非同期状態の判定条件にレベル差がなくなる（ステップＢ５）。【００４０】
この状態で、個別チャネルレベル測定部１３からのＳＩＲデータがＲＬＦ判定制御部１６Ａで第１の閾値（＝第２の閾値）と比較されることにより、局部拡散符号と受信拡散符号との同期状態／非同期状態が判定され、第１の実施例と同様に、判定信号ｅが出力される。判定信号ｅは、図示しない個別チャネル処理部へ送出される。この後、受信データデコード部１２からの起動信号ｐがノンアクティブモードとなってＲＬＦ判定制御部１６Ａの個別チャネル処理が終了（停止）すると（ステップＢ６）、第２の閾値が０ｄＢから元の−５ｄＢに戻り、処理が終了する。【００４１】
以上のように、この第２の実施例では、送信ステータス判定部１７により送信信号の出力停止が判定されたとき、第１の実施例と同様に、第２の閾値が第１の閾値と同一値に設定されるので、ＳＩＲデータｄのレベルが同閾値よりも小さいと判定されたとき、タイマ（Ｔ３１３）による遅延時間が経過した後、直ちに非同期状態に対応した判定信号ｅが出力される。このため、消費電力が低減される。【００４２】
以上、この発明の実施例を図面により詳述してきたが、具体的な構成は同実施例に限られるものではなく、この発明の要旨を逸脱しない範囲の設計の変更などがあっても、この発明に含まれる。
たとえば、第１の閾値と第２の閾値とが同一値になるように設定する場合、上記各実施例の値に限定されず、第１の閾値を第２の閾値と同一値に設定しても良い。また、この発明は、携帯電話機に限らず、たとえば、ＰＤＡ（Personal Digital Assistants ）やカーナビゲーションシステムなど、ＣＤＭＡ方式及びＷ−ＣＤＭＡ方式による移動通信端末全般に適用できる。
【産業上の利用可能性】
【００４３】
この発明は、ＣＤＭＡ方式及びＷ−ＣＤＭＡ方式による移動通信端末全般に適用でき、特に、無線基地局との間の無線通信環境の劣化などが発生する場所で用いて有効である。
【図１】
0004826629.tif 000002
【図２】
0004826629.tif 000003
【図３】
0004826629.tif 000004
【図４】
0004826629.tif 000005
【図５】
0004826629.tif 000006